(57)【特許請求の範囲】
【請求項１】
母体に内蔵された回路基板と母体に対し可動的に設けられた可動体とが可撓性基板により電気的に接続された装置において、
母体内に可撓性基板の弛み部分を収納する基板収納空間が設けられ、
基板収納空間は、母体内に収納された上段の電池と下段の電池とを電池幅方向にずらして互い違いに配列することにより形成された空き空間に設けられた
ことを特徴とする可撓性基板収納装置。
【請求項２】
母体に対し可動体がヒンジにて回動自在に設けられ、ヒンジは、可撓性基板を一体的に保持する基板固定溝を有することを特徴とする請求項１記載の可撓性基板収納装置。
【請求項３】
可撓性基板は、母体におけるヒンジ取付面から基板収納空間にわたって設けられた基板移動溝と、母体側でヒンジの回動を係止するストッパおよびこのストッパの内側に位置する回路基板との間に配設されたことを特徴とする請求項２記載の可撓性基板収納装置。
【発明の詳細な説明】
【０００１】
【発明の属する技術分野】
本発明は、母体とこの母体に対し可動的に取付けられた可動体とを接続する可撓性基板の収納装置に関する。
【０００２】
【従来の技術】
例えば、デジタルカメラまたはビデオカメラなどの電子カメラのカメラ本体に対し液晶モニタを回動可能に取付けた場合には、液晶モニタとカメラ本体との電気的な接続を可撓性基板すなわちフレキシブルプリント基板（以下、ＦＰＣという）により行っている。
【０００３】
すなわち、ＦＰＣの有する可撓性を利用し、ＦＰＣの長さを液晶モニタがカメラ本体から離れる方向（開き方向）に回動したときにもその回動を許容する程度に長めに設定しておくことで、液晶モニタをカメラ本体に対し回動可能にしている。
【０００４】
【発明が解決しようとする課題】
しかし、液晶モニタをカメラ本体側（閉じ方向）に回動したときには、ＦＰＣを長めにしてあるため、余剰部分が弛みとして生ずる。
【０００５】
特に、液晶モニタがヒンジによりカメラ本体に回動可能に取付けられたものでは、ヒンジ部分にてＦＰＣが弛み易く、ＦＰＣの折曲りによるトラブルが生じ易い。
【０００６】
本発明は、このような点に鑑みなされたもので、母体と可動体とが可撓性基板により電気的に接続されたものにおいて、母体と可動体との間で可撓性基板の弛みが生じないようにすることを目的とするものである。
【０００７】
【課題を解決するための手段】
請求項１に記載された発明は、母体に内蔵された回路基板と母体に対し可動的に設けられた可動体とが可撓性基板により電気的に接続された装置において、母体内に可撓性基板の弛み部分を収納する基板収納空間が設けられ、この基板収納空間は、母体内に収納された上段の電池と下段の電池とを電池幅方向にずらして互い違いに配列することにより形成された空き空間に設けられた可撓性基板収納装置である。
【０００８】
そして、母体内の基板収納空間にて可撓性基板の弛み部分を吸収することにより、母体と可動体との間で可撓性基板の弛みが生じないようにし、可撓性基板の折曲りを防止する。その際、電池収納空間の高さを低くするために母体内の電池配列をずらすことにより、可撓性基板の弛み部分を収納するための空き空間も形成されるから、この空き空間を基板収納空間とする。
【０００９】
請求項２に記載された発明は、請求項１記載の可撓性基板収納装置において、母体に対し可動体がヒンジにて回動自在に設けられ、ヒンジは、可撓性基板を一体的に保持する基板固定溝を有するものである。
【００１０】
そして、母体内の基板収納空間にて可撓性基板の弛み部分を吸収するとともに、ヒンジでの可撓性基板の弛みを基板固定溝により防止し、可撓性基板の折曲りを防止する。
【００１１】
請求項３に記載された発明は、請求項２記載の可撓性基板収納装置における可撓性基板が、母体におけるヒンジ取付面から基板収納空間にわたって設けられた基板移動溝と、母体側でヒンジの回動を係止するストッパおよびこのストッパの内側に位置する回路基板との間に配設されたものである。
【００１２】
そして、基板移動溝により可動体の動きに伴う可撓性基板の移動を案内するとともに、ストッパおよび回路基板により可撓性基板の基板移動溝からの浮上りを防止する。
【００１３】
【発明の実施の形態】
以下、本発明を、図１乃至図７に示された一実施形態を参照しながら説明する。
【００１４】
図２は、本発明に係る可撓性基板収納装置を備えた電子カメラ（デジタルカメラまたはビデオカメラ）を後方より見た斜視図を示し、母体としてのカメラ本体11の背面にヒンジ12により可動体としての液晶モニタ13が回動可能に取付けられている。
【００１５】
ヒンジ12は、後述するように液晶モニタ13に一体的に取付けられ、この液晶モニタ13をカメラ本体11に対して無段階で任意の傾斜角度に回動保持する。液晶モニタ13は、撮影レンズで捉えた撮影像のモニタや記録内容を確認するための表示装置である。
【００１６】
図３は、図２に示されたカメラを分解して示した斜視図であり、カメラ本体11は、上下に２分割された外観カバーすなわち上側カバー11a および下側カバー11b と、これらのカバー11a ，11b 間に収容されるフレーム枠11c とにより形成されている。上側カバー11a 、下側カバー11b およびフレーム枠11c は、硬質の合成樹脂によりそれぞれ一体成形されている。
【００１７】
液晶モニタ13からは、カメラ本体11と電気的に接続される可撓性基板すなわちフレキシブル・プリント基板（以下、ＦＰＣという）14が引出されている。
【００１８】
このＦＰＣ14は、フレーム枠11c の上部には取付けられる回路基板15に接続される。その接続構造は後述する。
【００１９】
フレーム枠11c には、撮影方向に位置する撮影レンズ鏡胴16を保持するための鏡胴保持枠部17が一体に成形され、図６および図７に示されるように、撮影レンズ鏡胴16の内端と鏡胴保持枠部17の隔壁17a との間には、撮影レンズによる撮像が結像されるチャージ・カップルド・デバイス（以下、必要があればＣＣＤという）18が配置されている。
【００２０】
鏡胴保持枠部17の後方には、４本の電池B1〜B4が収納される電池収納部19が一体に成形され、この電池収納部19の後方に前記液晶モニタ13が配置され、前記ヒンジ12により取付けられている。
【００２１】
図３に示されるように、このヒンジ12は、電池収納部19の上面をヒンジ取付面19a として、このヒンジ取付面19a に一対の軸受部21が一体に成形され、これらの軸受部21間に挿入された軸部材22によりヒンジ本体23が回動可能に取付けられ、このヒンジ本体23は図１に示されるように液晶モニタ13に一体的に取付けられている。言い換えれば、液晶モニタ13はヒンジ本体23を介してフレーム枠11c に回動可能に軸支されている。
【００２２】
液晶モニタ13は、部材本体としてのモニタカバー24と、このモニタカバー24の内部に嵌着された液晶モニタ本体25と、モニタカバー24の裏面開口に固定された取付板26（図１）とにより形成されている。
【００２３】
図４および図５に示されるように、前記液晶モニタ13に一体的に取付けられたヒンジ本体23は、ゴム系の材質（各種ゴム材または同等の弾力性を有する材質）にて成形または加工された一体物であり、その一側端面から他側端面にわたって軸穴27が貫通形成されている。
【００２４】
このヒンジ本体23は、電池収納部19のヒンジ取付面19a に形成された一対の軸受部21間に嵌合され、一側の軸受部21の軸穴28より挿入された前記軸部材22が、ヒンジ本体23の軸穴27を押広げるように貫通して他側の軸受部21の軸穴29に挿入されている。
【００２５】
このとき、軸部材22は、その直径寸法より小さい内径を持つように成形されたゴム系ヒンジ本体23の軸穴27を押広げるようにして軸穴27内に圧入されるから、軸部材22とヒンジ本体23との間に適度な摩擦抵抗を得ることができる。
【００２６】
また、軸部材22の大部分は、カメラ本体11の軸受部21の軸穴28，29と同寸法に形成されているが、軸部材22の一端部には軸部材固定用のローレット形成部31が設けられており、この軸部材22のローレット形成部31は、他の軸部分よりローレット溝の加工圧により軸材料が適度に膨出し、軸部材22の大部分の直径寸法よりやや大きい直径のローレットが形成されている。
【００２７】
このため、このローレット形成部31を一側の軸受部21の軸穴28に打込むなどして圧入するのみの簡単な方法で軸部材22の回動を規制することができる。すなわち、軸部材22の少なくとも一端は、カメラ本体11に形成された軸受部21の軸穴28に固定されている。
【００２８】
これにより、軸部材22とこの軸部材22の直径寸法より小さい内径の軸穴27を持つヒンジ本体23との間に生ずる摩擦力により、上記ヒンジ本体23と一体的な液晶モニタ13を、カメラ本体11などの固定部に対して無段階で任意の傾斜角度に保持することができる。
【００２９】
図１に示されるように、ヒンジ本体23は、前記取付板26に嵌着されるとともに、モニタカバー24に取付板26を固定する際にモニタカバー24にも嵌着される。すなわち、ヒンジ本体23はモニタカバー24と取付板26との間に組込まれて、液晶モニタ13に確実に一体化されている。
【００３０】
次に、モニタカバー24および取付板26に対するヒンジ本体23の取付構造を説明する。
【００３１】
取付板26は、図４および図５に示されるようにステンレス鋼などの金属板の一辺縁部に沿って一対の突起片部36を切起すことにより、図１に示されるようにヒンジ本体23を嵌着するための切欠部37が形成されている。すなわち、切欠部37の両側部からヒンジ本体23の両側に位置する一対の突起片部36が一体的に突設されている。
【００３２】
一方、ヒンジ本体23の両側端面には、図４に示されるように一対の突起片部36と嵌合する側面凹部41がそれぞれ形成されている。これらの突起片部36と側面凹部41とが嵌合した状態でヒンジ本体23の軸穴27と各突起片部36に穿孔された軸穴（図示せず）とが自動的に位置合せされるから、これらの軸穴に軸部材22が挿入される。
【００３３】
また、図１に示されるように、ヒンジ本体23は、取付板26の切欠部37を介し取付板26の内側に係合する係止片部42を一体成形により有している。
【００３４】
さらに、モニタカバー24は、ヒンジ本体23の表面側の一部が面一に嵌合される嵌合凹部43と、この嵌合凹部43の底部に一体形成された嵌合板部44と、この嵌合板部44に沿って形成された係合孔45とを有している。
【００３５】
一方、ヒンジ本体23は、モニタカバー24の嵌合凹部43と嵌合される表面側の舌片部46と、モニタカバー24の嵌合板部44と嵌合される嵌合溝47と、モニタカバー24の係合孔45に係合される係合凸部48とを有している。
【００３６】
この係合凸部48には、モニタカバー24の裏面に係合するフック部49が一体に形成されている。
【００３７】
図４に示されるように、液晶モニタ13をカメラ本体11に組付ける場合は、カメラ本体11の一側の軸受部21、取付板26の一側の突起片部36、ヒンジ本体23、取付板26の他側の突起片部36、カメラ本体11の他側の軸受部21にそれぞれ形成された各軸穴に軸部材22を貫通させ、この軸部材22の最後の嵌入端部に形成されたローレット形成部31を軸受部21の軸穴28に圧入して、軸部材22を回動できないように確実に固定する。
【００３８】
この組付状態で、両側の軸受部21と両側の突起片部36との間に均等に隙間が設けられるので、図３に示されるように上側カバー11a のヒンジ嵌着凹部51の一側および他側に位置するリブ52を、図４に示されるようにこれらの隙間に嵌合する。これらのリブ52には、それぞれ下側より軸溝53が形成されているから、これらの軸溝53を軸部材22に嵌合するようにして上側カバー11a を被嵌する。
【００３９】
上側カバー11a のヒンジ嵌着凹部51は、両側のリブ52とともに、ヒンジ12および液晶モニタ13の上方への回動量を規制するストッパ54が下方へ折曲成形されたもので、液晶モニタ13が約９０度上方へ回動されると、ヒンジ12がこのストッパ54に当接して回動が規制される。
【００４０】
ヒンジ12のカメラ本体側の周面は、軸部材22を中心とする円弧状に形成されており、このヒンジ12の円弧状周面が電池収納部19のヒンジ取付面19a およびストッパ54に沿って回動するようになっている。
【００４１】
次に、図６および図７により液晶モニタ13の回動作用を説明する。図６は液晶モニタ13が閉じた状態、図７は液晶モニタ13が約９０度開いた状態を示す。
【００４２】
液晶モニタ13を軸部材22を中心として回動させるとき、液晶モニタ13に固定されているヒンジ本体23は液晶モニタ13といっしょに回動しようとする。このとき、ヒンジ本体23は軸部材22の軸径より小さい穴径に軸部材22が圧入されていることにより、またヒンジ本体23はゴム系の材質であるため、その弾性力により軸部材22をある一定の力により締付けている。
【００４３】
したがって、ヒンジ本体23が回動しようとするときは、上記締付力によって発生する摩擦力による回動抵抗が働くが、その回動抵抗力より大きい回動力が液晶モニタ13から強制的に加えられたときにヒンジ本体23は回動を始める。
【００４４】
例えば、液晶モニタ13を把持して開き方向（上方）へ回動する場合は、液晶モニタ13の取付板26の突起片部36が側面凹部41の上側部に係合し、取付板26の切欠部37の内側がヒンジ本体23の係止片部42に係合し、モニタカバー24の嵌合板部44が嵌合溝47の上側に位置する舌片部46に係合するから、ヒンジ本体23の回動に対して軸部材22との間の嵌合摩擦力によるブレーキ作用が働くものの、ヒンジ本体23はそのブレーキ作用に抗して液晶モニタ13と一体的に回動し、ヒンジ本体23が軸部材22との間のブレーキ作用で液晶モニタ13から取残されるように外れることはない。
【００４５】
一方、液晶モニタ13を把持して閉じ方向へ回動する場合は、モニタカバー24の嵌合板部44が嵌合溝47の下側部と係合するから、ヒンジ本体23の回動に対して軸部材22との間の嵌合摩擦力によるブレーキ作用が働くものの、ヒンジ本体23はそのブレーキ作用に抗して液晶モニタ13と一体的に回動し、ヒンジ本体23が軸部材22との間のブレーキ作用で液晶モニタ13から取残されるように外れることはない。
【００４６】
さらに、ヒンジ本体23の係合凸部48をフック部49にて液晶モニタ13の裏面に係合することで、係合凸部48が係合孔45から外れたり、舌片部46が嵌合板部44から剥離したりするおそれを防止できる。
【００４７】
液晶モニタ13の回動を停止したときは、ヒンジ本体23と軸部材22との間に発生している摩擦力により液晶モニタ13は停止した任意の位置に固定される。そして、再度液晶モニタ13を回動させようとするとき、上記動作が繰り返される。
【００４８】
そして、液晶モニタ13の回動量が限界に達したときは、ヒンジ本体23が上側カバー11a のヒンジ嵌着凹部51に形成されたストッパ54に当たり回動が終了する。このとき、ヒンジ本体23はゴム系の材質であるため、上側カバー11a のストッパ54に当たる際、上側カバー11a を傷付けない。
【００４９】
次に、図１、図４および図６は、液晶モニタ13が閉じた状態のＦＰＣ14の配線構造図でもあり、図５および図７は、液晶モニタ13が９０度開いた状態のＦＰＣ配線構造図でもある。
【００５０】
図１に示されるように、液晶モニタ本体25には、配線用のＦＰＣ14が接続され、ヒンジ本体23には、取付板26と対向する係止片部42の内面に、ＦＰＣ14を挿通するためのＦＰＣ引出溝62が形成されている。
【００５１】
さらに、取付板26と直角をなす下面に、ＦＰＣ14を挿通して一体的に保持するための幅広の基板固定溝としてのＦＰＣ固定溝63が形成され、ＦＰＣ14は、ＦＰＣ引出溝62およびＦＰＣ固定溝63を経て引出される。
【００５２】
ＦＰＣ固定溝63の先端部にはヒンジ本体23の円弧状周面に沿って形成されたＦＰＣ巻取溝64が設けられている。
【００５３】
図４および図５に示されるように、ＦＰＣ固定溝63の両側縁から内側にＦＰＣ保持リム65がそれぞれ突設され、ＦＰＣ固定溝63およびＦＰＣ保持リム65により断面コ字形の基板保持溝が形成されている。
【００５４】
図１に示されるように、ＦＰＣ保持リム65は、ヒンジ本体23の円弧状周面に形成されたＦＰＣ巻取溝64には掛からないように形成されている。
【００５５】
そして、ＦＰＣ保持リム65によりＦＰＣ14の両側部が弛むことなくＦＰＣ固定溝63内に保持されて、常にヒンジ本体23と一体化されるように配線され、ヒンジ本体23におけるＦＰＣ14の弛みが防止され、弛みに伴うＦＰＣ14の折曲りが防止されている。
【００５６】
図３に示されるように、前記カメラ本体11の電池収納部19の上面部にはＦＰＣ14を通すことができる幅広の基板移動溝としてのＦＰＣ移動溝66が、ＦＰＣ14の配設方向に成形されている。このＦＰＣ移動溝66は、ＦＰＣ14の厚さよりもやや深く形成されていて、回路基板15を電池収納部19上に取付けるとＦＰＣ14が挿通するトンネル状の通路が形成される。
【００５７】
このＦＰＣ移動溝66は、前記鏡胴保持枠部17の隣接位置で下方へ凹状に形成された基板収納空間としてのＦＰＣ収納空間67に導かれている。このＦＰＣ収納空間67は、ＦＰＣ14の弛み部分14a を収納するための母体側空間である。
【００５８】
このＦＰＣ収納空間67は、電池収納部19の空き空間を有効利用したものであり、空き空間を確保するために、電池B1〜B4は、図６および図７に図示されたように上下２段に重ねられ、上段の電池B1，B2を電池幅方向（後方）にずらして下段の電池B3，B4と互い違いになるように収納されている。
【００５９】
このように電池B1〜B4を互い違いに収納することにより、カメラ本体11の高さ方向の厚さを薄く構成することができるとともに、電池収納部19は、電池B1，B3の収納形状に沿わせた形状の背面壁19b で形成されるため、この背面壁19b と鏡胴保持枠17の隔壁17a との間には上段の電池B1，B2を後方にずらした分だけ、前記ＦＰＣ収納空間67が形成されることとなる。
【００６０】
図３に示されるように、このＦＰＣ収納空間67には、ＦＰＣ移動溝66を挟んで一対の基板支持リブ68が電池収納部19の背面壁19b と鏡胴保持枠17の隔壁17a との間で一体に成形され、また、電池収納部19の上面にはＦＰＣ移動溝66を挟んで一対の突起69が一体に成形されている。
【００６１】
前記回路基板15には、これらの突起69と対応する位置に位置決め孔71が設けられ、回路基板15は、その位置決め孔71を突起69に嵌合することにより位置決めされ、電池収納部19の上面および一対の基板支持リブ68の上面にて安定的に支持されている。
【００６２】
そして、液晶モニタ本体25からヒンジ12のＦＰＣ引出溝62およびＦＰＣ固定溝63を経てカメラ本体側の電池収納部19上に引出されたＦＰＣ14は、電池収納部19に上面に成形されたＦＰＣ移動溝66を通って、ＦＰＣ収納空間67で余裕をもって折返され、回路基板15上に実装されたコネクタ72に結合されている。
【００６３】
図１に示されるように、回路基板15上には電気的に接続されたスイッチ73が設けられ、このスイッチ73に対してレリーズ釦74が設けられている。
【００６４】
このレリーズ釦74は、上側カバー11a に一体成形された凹部75に、上側カバー11a の外面に露出される操作部76が嵌合され、この操作部76の軸部77が凹部75に形成された軸穴部78を貫通してスイッチ73に接触されている。そして、操作部76を押下げることで、電子カメラが撮影動作を開始する。
【００６５】
図１に示されるように、前記ヒンジ12からカメラ本体11側に引出されたＦＰＣ14は、次の案内手段によりＦＰＣ収納空間67まで折れ曲がることなく進退移動される。
【００６６】
上記案内手段は、電池収納部19のヒンジ取付面19a からＦＰＣ収納空間67にわたって設けられた前記ＦＰＣ移動溝66と、上側カバー11a にてヒンジ12の回動を係止する前記ストッパ54と、このストッパ54の内側に位置する前記回路基板15とにより形成されている。
【００６７】
そして、ＦＰＣ14は、ＦＰＣ移動溝66と、ストッパ54および回路基板15との間に挟まれるように配設されているから、ＦＰＣ14の浮上りや横ずれが防止され、ＦＰＣ収納空間67に解放されるまでＦＰＣ14の弛みが防止されている。
【００６８】
すなわち、前記回路基板15は、ＦＰＣ移動溝66内のＦＰＣ14の浮上りを上側から係止するＦＰＣ押え板としても機能する。
【００６９】
さらに、ヒンジ本体23が嵌合される上側カバー11a のヒンジ嵌着凹部51を形成する前記ストッパ54の下端部はＦＰＣ押えリブ79となっており、このＦＰＣ押えリブ79により、ＦＰＣ移動溝66内にあるＦＰＣ14の浮上りが係止されている。
【００７０】
すなわち、上側カバー11a から下方へ折曲するように成形されたストッパ54は、電池収納部19の上面のヒンジ取付面19a に当接する程度まで延設されていて、その先端辺がＦＰＣ押えリブ79となっており、このＦＰＣ押えリブ79の先端辺とＦＰＣ移動溝66との間にＦＰＣ14の通る通路が形成されている。
【００７１】
そして、図６に示されるように、液晶モニタ13が下方へ回動した閉じ状態のときは、ＦＰＣ14がＦＰＣ収納空間67内に弛んだ状態で収納され、一方、図７に示されるように、液晶モニタ13が上方へ回動したときは、ＦＰＣ14がＦＰＣ収納空間67より液晶モニタ13側へ引出され、ＦＰＣ収納空間67内でのＦＰＣ14の弛み部分14a が小さくなることで、ＦＰＣ14に張力が作用しないようにする。
【００７２】
また、図７から図６へと示されるように、液晶モニタ13が下方へ回動したときは、ヒンジ本体23のＦＰＣ引出溝62およびＦＰＣ固定溝63で固定されたＦＰＣ14が、液晶モニタ13の回動に伴い、カメラ本体11のＦＰＣ移動溝66と、上側カバー11a のＦＰＣ押えリブ79および回路基板15との間に押込まれ、これらの案内作用により円滑に移動して、ＦＰＣ収納空間67内で撓むので、ヒンジ部分でＦＰＣ14の弛みや折曲りが生じない。
【００７３】
以下に、ＦＰＣ14の動作を述べる。
【００７４】
ＦＰＣ14は、液晶モニタ13の回動を許容する長さに設定されているから、図６のように液晶モニタ13が非回動の位置にあるときは、ＦＰＣ14に弛みが生じた状態となり、弛み部分14a がＦＰＣ収納空間67に収容されることとなる。
【００７５】
一方、この非回動の状態から液晶モニタ13を上方（時計方向）に回動すると、一端を液晶モニタ13に取付けられたＦＰＣ14は、ヒンジ12の円弧状のＦＰＣ巻取溝64に巻取られるようにしながら、ＦＰＣ移動溝66内で左方へ引張られ、ＦＰＣ収納空間67内での弛み部分14a が縮小するように変形される。
【００７６】
図７に示されるように、液晶モニタ13がストッパ54により上方への回動を規制される位置まで回動された状態で、ＦＰＣ14の弛み部分14a は最小となるが、ＦＰＣ14に張力は働かない。
【００７７】
次に、この図７の状態から、逆に液晶モニタ13を図６の閉じ状態の方向（反時計回り）に回動するときのＦＰＣ14の動作を説明する。
【００７８】
液晶モニタ13を反時計回りに回動すると、一端を液晶モニタ13に取付けられたＦＰＣ14は、液晶モニタ13の側からカメラ本体方向へ押されるようにしてＦＰＣ移動溝66内で移動される。
【００７９】
そして、ヒンジ12の円弧状のＦＰＣ巻取溝64に巻取られていたＦＰＣ14の余剰部分がＦＰＣ収納空間67に収納される。
【００８０】
ここで、ＦＰＣ収納空間67は、カメラ本体11の厚さを薄くするために上段の電池B1，B2と下段の電池B3，B4とを前後にずらして収納したためにできたデットスペースであり、このＦＰＣ収納空間67にＦＰＣ14を収納するため、ＦＰＣ14を収納するための特別な空間を確保する必要がない。
【００８１】
ＦＰＣ14は、液晶モニタ13の反時計回りの回動でＦＰＣ収納空間67に余剰分が収納される方向に押されると、ＦＰＣ固定溝63やＦＰＣ移動溝66内で弛みを生じようとするが、ヒンジ12の部分のＦＰＣ14はＦＰＣ保持リム65によりＦＰＣ固定溝63内に保持されるため、また、ＦＰＣ移動溝66内のＦＰＣ14は、ストッパ54の下端のＦＰＣ押えリブ79と、回路基板15とにより押えられ、ＦＰＣ14の浮上がりが防止されているから、ＦＰＣ固定溝63やＦＰＣ移動溝66内で弛みを生ずることはない。
【００８２】
【発明の効果】
請求項１記載の発明によれば、母体内の基板収納空間にて可撓性基板の弛み部分を吸収することにより、母体と可動体との間で生ずるおそれのある可撓性基板の弛みを防止でき、可撓性基板の弛みによる折曲りを防止できる。その際、母体内の電池配列をずらすことにより、電池収納空間の高さを低くできるとともに、基板収納用の空き空間も効率良く形成でき、この空き空間を有効利用して母体を大型化させることなく基板収納空間を確保できる。
【００８３】
請求項２記載の発明によれば、ヒンジが有する基板固定溝により、ヒンジにおける可撓性基板の弛みを確実に防止でき、ヒンジの回動に伴う可撓性基板の折曲りを確実に防止できる。
【００８４】
請求項３記載の発明によれば、基板移動溝により可動体の動きに伴う可撓性基板の移動を円滑に案内できるとともに、ストッパおよび回路基板により可撓性基板の基板移動溝からの浮上りを防止でき、母体内の基板収納空間への可撓性基板の弛み収納を確実に行える。
【図面の簡単な説明】
【図１】  本発明に係る可撓性基板収納装置の一実施形態を示す横断方向断面図である。
【図２】  同上収納装置を備えた液晶モニタ付カメラを示す斜視図である。
【図３】  同上カメラの分解斜視図である。
【図４】  同上カメラの液晶モニタを開閉するヒンジ部分の軸方向断面図である。
【図５】  同上カメラの液晶モニタを開閉するヒンジ部分の正面図である。
【図６】  同上カメラの液晶モニタを閉じた状態を示す同上収納装置の横断方向断面図である。
【図７】  同上カメラの液晶モニタを約９０度開いた状態を示す同上収納装置の横断方向断面図である。
【符号の説明】
11    母体としてのカメラ本体
12    ヒンジ
13    可動体としての液晶モニタ
14    可撓性基板（ＦＰＣ）
14a   弛み部分
15    回路基板
19a   ヒンジ取付面
54    ストッパ
63    基板固定溝としてのＦＰＣ固定溝
66    基板移動溝としてのＦＰＣ移動溝
67    基板収納空間としてのＦＰＣ収納空間
B1，B2    上段の電池
B3，B4    下段の電池
【図１】
0003894512.tif 000002
【図２】
0003894512.tif 000003
【図３】
0003894512.tif 000004
【図４】
0003894512.tif 000005
【図５】
0003894512.tif 000006
【図６】
0003894512.tif 000007
【図７】
0003894512.tif 000008